(57)【要約】      （修正有）【課題】円形水平枠と、より少ない垂直枠ロッドとでなり、枠部材を袋体に縫い込む作業が、所要時間と工作を減少させ、製造コスト削減に、有利となる折り畳める物置袋の構造を提供する。【解決手段】上から下への順序で、第１円形水平枠１Ａと、第２円形水平枠１Ｂと、第３円形水平枠１Ｃと、で２層の折畳める物置袋に構成され；第１円形水平枠１Ａと、第２円形水平枠１Ｂの間に、第１垂直枠ロッド２Ａと、第２垂直枠ロッド２Ｂと、を設け；第２円形水平枠１Ｂと、第３円形水平枠１Ｃの間に、別組の、第１垂直枠ロッド２Ａと、第２垂直枠ロッド２Ｂと、を設け；前述個々の垂直枠ロッドの端部は、円形水平枠と連接しないで、適当な距離を保持して構成する。【選択図】図５
0003158225.tif 000002
【実用新案登録請求の範囲】
【請求項１】
折畳める物置袋であって、その構造は、少なくとも、２つの円形水平枠と；少なくとも、２つの垂直枠ロッド、該垂直枠ロッドが、２つの円形水平枠の間に設け、円形水平枠と連接しない、と；１つの袋体、前記各円形水平枠と、垂直枠ロッドと、を結合し、周辺封鎖の側壁と、底面と、上方の開口と、を形成し、と；で構成され、前記垂直枠ロッドが、長さ方向で、円形水平枠と、垂直状態になれば、袋体を直立桶状に保持し、近隣の両円形水平枠を、対向回転すれば、袋体が扁平状になれることを特徴とする折畳める物置袋。
【請求項２】
前記円形水平枠は、ロッド部材を円形状に曲げられ、両端を連接固定し、円形となることを特徴とする請求項１に記載の折畳める物置袋。
【請求項３】
前記円形水平枠は、プラスチック材料で、モールドより、一体成型になることを特徴とする請求項１に記載の折畳める物置袋。
【考案の詳細な説明】
【技術分野】
【０００１】
この考案は折畳める物置袋に関する。
【背景技術】
【０００２】
従来の折畳める物置袋は、多層式折畳める物置箱で、その特徴は、ソフトな生地で作られた、連続な複数の距形箱体からなり、上方の箱体の上端に開口を有し、箱体には、距形な水平枠と、垂直枠と、を備え、下方の箱体に、底板を置き、垂直枠が、直立なれば、物置箱となり、上から下へ順序で、箱体の上端を、回転すれば、箱体は、折り畳み扁平状となる。（中華民国特許公報Ｍ２８１９１９号）
【考案の開示】
【考案が解決しようとする課題】
【０００３】
前述従来の折畳める物置袋は、距形な箱体の構造ので、箱体には、上端や下端に４つの水平枠ロッドと、周辺に４つの垂直枠ロッドと、を要し、該ロッド部材らは、箱体に、縫い込んだ工作は、かなりの時間と人工を要り、コストが高くなることである。
この考案は、以上の問題を解決する、コスト削減の折り畳める物置袋を提供することを課題とする。
【課題を解決するための手段】
【０００４】
そこで、本考案者は従来の技術に見られる欠点に鑑み鋭意研究を重ねた結果、折り畳める物置袋の構造は、実際需要に応じて、単層式と、２層式と、３層式と、もっと多層式な設置ができる。層数の多いほど、収納空間が大きくなる。毎１層に、上方と下方の円形水平枠と、２つの円形水平枠のなかにおける複数の垂直枠ロッドと、を有し、該垂直枠ロッドの数は、少なくとも、２つを要し、袋体を保持する。
【考案の効果】
【０００５】
この考案によれば、折り畳める物置袋の構造は、円形水平枠と、より少ないな垂直枠ロッドとでなり、枠部材を袋体に縫い込む作業が、所要時間と工作をかなり減少され、製造コスト削減に、有利となる。
【考案を実施するための最良の形態】
【０００６】
この考案の折畳める物置袋が実施するときには、実際需要に応じて、単層式と、２層式と、３層式と、もっと多層式な設置ができる。層数の多いほど、収納空間が大きくなる。毎１層に、上方と下方の円形水平枠と、２つの円形水平枠のなかにおける複数の垂直枠ロッドと、を有し、該垂直枠ロッドの数は、少なくとも、２つを要し、袋体を保持する。
【実施例】
【０００７】
図１に、この考案の折畳める物置袋の第１実施例より多層円形水平枠と２つ垂直枠ロッドの折畳める物置袋の斜視図を開示する。図面によれば、この考案による折畳める物置袋の構造は、上から下への順序で、第１円形水平枠１Ａと、第２円形水平枠１Ｂと、第３円形水平枠１Ｃと、で２層の折畳める物置袋に構成され；第１円形水平枠１Ａと、第２円形水平枠１Ｂの間に、第１垂直枠ロッド２Ａと、第２垂直枠ロッド２Ｂと、を設け；第２円形水平枠１Ｂと、第３円形水平枠１Ｃの間に、別組の、第１垂直枠ロッド２Ａと、第２垂直枠ロッド２Ｂと、を設け；前述個々の垂直枠ロッドの端部は、円形水平枠と連接しないで、適当な距離を保持する。
図２に、この考案の折畳める物置袋の第２実施例より多層円形水平枠と３つ垂直枠ロッドの折畳める物置袋の斜視図を開示する。図面によれば、この考案による折畳める物置袋の構造は、上から下への順序で、第１円形水平枠１Ａと、第２円形水平枠１Ｂと、第３円形水平枠１Ｃと、で２層の折畳める物置袋に構成され；第１円形水平枠１Ａと、第２円形水平枠１Ｂの間に、第１垂直枠ロッド２Ａと、第２垂直枠ロッド２Ｂと、第３垂直枠ロッド２Ｃと、を設け；第２円形水平枠１Ｂと、第３円形水平枠１Ｃの間に、別組の、第１垂直枠ロッド２Ａと、第２垂直枠ロッド２Ｂと、第３垂直枠ロッド２Ｃと、を設け；前述個々の垂直枠ロッドの端部は、円形水平枠と連接しないで、適当な距離を保持する。
図３に、この考案の折畳める物置袋の第３実施例より多層円形水平枠と４つ垂直枠ロッドの折畳める物置袋の斜視図を開示する。図面によれば、この考案による折畳める物置袋の構造は、上から下への順序で、第１円形水平枠１Ａと、第２円形水平枠１Ｂと、第３円形水平枠１Ｃと、で２層の折畳める物置袋に構成され；第１円形水平枠１Ａと、第２円形水平枠１Ｂの間に、第１垂直枠ロッド２Ａと、第２垂直枠ロッド２Ｂと、第３垂直枠ロッド２Ｃと、第４垂直枠ロッド２Ｄと、を設け；第２円形水平枠１Ｂと、第３円形水平枠１Ｃの間に、別組の、第１垂直枠ロッド２Ａと、第２垂直枠ロッド２Ｂと、第３垂直枠ロッド２Ｃと、第４垂直枠ロッド２Ｄと、を設け；前述個々の垂直枠ロッドの端部は、円形水平枠と連接しないで、適当な距離を保持する。
図４に、この考案の折畳める物置袋の第４実施例より２層円形水平枠と３つ垂直枠ロッドの折畳める物置袋の斜視図を開示する。図面によれば、この考案による折畳める物置袋の構造は、上から下への順序で、第１円形水平枠１Ａと、第２円形水平枠１Ｂと、で単層の折畳める物置袋に構成され；第１円形水平枠１Ａと、第２円形水平枠１Ｂの間に、第１垂直枠ロッド２Ａと、第２垂直枠ロッド２Ｂと、第３垂直枠ロッド２Ｃと、を設け；前述個々の垂直枠ロッドの端部は、円形水平枠と連接しないで、適当な距離を保持する。
前述各種な枠の数の組み合わせが、折畳める物置袋の受け取る力の強さからきめるが、２つの円形水平枠のなかにおける垂直枠ロッドの数は、袋体を保持するために、少なくとも、２つを要する。
図５は、図２に示す枠構造と袋体とを結合した状態の斜視図である。図面によれば、この考案による折畳める物置袋の構造は、図２の第２実施例の円形水平枠と、垂直枠ロッドと、さらに、袋体３を有し、該袋体３は、かなりの厚さと強さを具備する織物（例えば帆布）から製造した物で、下方の底面と、周辺の側壁と、上方の袋口３０と、を備え；第１円形水平枠１Ａは、上方の袋口３０のなかに、包覆縫い込んで；第２円形水平枠１Ｂは、袋体３の周辺に包覆縫い込んで；第１垂直枠ロッド２Ａと、第２垂直枠ロッド２Ｂと、第３垂直枠ロッド２Ｃと、は袋体３の側壁に包覆縫い込んで。図６に示すように、個々の垂直枠ロッドが、長さ方向は、円形水平枠と、垂直状態になれば、袋体３を直立保持できるので、置物袋として使用できる。図６に示すように、撤去ときは、上方の第１円形水平枠１Ａを、第２円形水平枠１Ｂと反対方向で、回転すれば、個々の垂直枠ロッドが、袋体のひねりより傾斜となり；図８にしめすように、さらに、第２円形水平枠１Ｂを、第３円形水平枠１Ｃと反対方向で、回転すれば、下方の個々の垂直枠ロッドが、袋体のひねりより傾斜となり；図９に示すように、最終的に、第１円形水平枠１Ａと、第２円形水平枠１Ｂと、第３円形水平枠１Ｃと、がより合わせて、袋体を折り畳み扁平状になる。
使用するときには、折り畳み扁平状な袋体を、撤去ときと反対方向へ回転すれば、個々の垂直枠ロッドが、直立状態となり、袋体を桶状となって、置物袋で使用できる。
【図面の簡単な説明】
【０００８】
【図１】この考案の多層円形水平枠と２つ垂直枠ロッドの折畳める物置袋の斜視図である。
【図２】この考案の多層円形水平枠と３つ垂直枠ロッドの折畳める物置袋の斜視図である。
【図３】この考案の多層円形水平枠と４つ垂直枠ロッドの折畳める物置袋の斜視図である。
【図４】この考案の２層円形水平枠と３つ垂直枠ロッドの折畳める物置袋の斜視図である。
【図５】図２に示す枠構造と袋体とを結合した状態の斜視図である。
【図６】図５に示すの袋体を回転折り畳み前の状態の斜視図である。
【図７】図６に示すの袋体上層を先に回転折り畳み高さを減らす状態の斜視図である。
【図８】図７に示すの袋体下層をさらに回転折り畳み高さを減らす状態の斜視図である。
【図９】図８に示すの袋体を扁平状態まで回転折り畳みの斜視図である。
【符号の説明】
【０００９】
１Ａ       第１円形水平枠
１Ｂ       第２円形水平枠
１Ｃ       第３円形水平枠
２Ａ       第１垂直枠ロッド
２Ｂ       第２垂直枠ロッド
２Ｃ       第３垂直枠ロッド
２Ｄ       第４垂直枠ロッド
３         袋体
３０       袋口
【図１】
0003158225.tif 000003
【図２】
0003158225.tif 000004
【図３】
0003158225.tif 000005
【図４】
0003158225.tif 000006
【図５】
0003158225.tif 000007
【図６】
0003158225.tif 000008
【図７】
0003158225.tif 000009
【図８】
0003158225.tif 000010
【図９】
0003158225.tif 000011
【手続補正書】
【提出日】平成22年1月15日(2010.1.15)
【手続補正１】
【補正対象書類名】実用新案登録請求の範囲
【補正対象項目名】請求項１
【補正方法】変更
【補正の内容】
【請求項１】
折畳める物置袋であって、その構造は、少なくとも、２つの円形水平枠と、前記２つの円形水平枠の間に設け、円形水平枠と連接しない、少なくとも、２つの垂直枠ロッドと、前記各円形水平枠と、垂直枠ロッドと、を結合し、周辺封鎖の側壁と、底面と、上方の開口と、を形成する１つの袋体と、で構成され、前記垂直枠ロッドが、長さ方向で、円形水平枠と、垂直状態になれば、袋体を直立桶状に保持し、近隣の両円形水平枠を、対向回転すれば、袋体が扁平状になれることを特徴とする折畳める物置袋。